(57)【特許請求の範囲】
【請求項１】
被取付面に取り付けられる本体と、前記本体に装着されるＬＥＤモジュールとを備えた照明装置であって、
前記ＬＥＤモジュールは、ＬＥＤ基板と前記ＬＥＤ基板に実装された複数のＬＥＤ素子とを有し、
前記ＬＥＤ基板を、一方の端部においてのみ前記ＬＥＤ素子が高い密度で配置された同一の形状を有する複数のＬＥＤ基板単体を１８０°転回して前記ＬＥＤ素子の密度が低い側の端面同士を対向させて配置して構成することにより、
前記複数のＬＥＤ素子は、前記ＬＥＤ基板の長手方向における中央部よりも端部において高い密度で配置されていることを特徴とする照明装置。
【請求項２】
請求項１に記載された照明装置であって、前記ＬＥＤモジュールの端部から２列目又は２個目までのＬＥＤ素子間の間隔が、その他のＬＥＤ素子間の間隔よりも小さく設定されて前記ＬＥＤ基板に実装されていることを特徴とする照明装置。
【請求項３】
請求項１又は請求項２のいずれかに記載された照明装置であって、前記ＬＥＤ基板の長手方向における端部に配置された前記ＬＥＤ素子を除いたその他の前記ＬＥＤ素子間の間隔は、均等な間隔であることを特徴とする照明装置。
【請求項４】
請求項１乃至請求項３のいずれかに記載された照明装置であって、前記ＬＥＤモジュールは、前記ＬＥＤモジュールの端部が前記照明装置の端面を形成するように配置されて前記本体に取り付けられていることを特徴とする照明装置。
【請求項５】
請求項１乃至請求項４のいずれかに記載された照明装置であって、少なくとも前記ＬＥＤモジュールは、前記ＬＥＤモジュールの端部に装着されるキャップを有し、前記キャップは、前記ＬＥＤモジュールの端部から１列目又は１個目のＬＥＤ素子までの距離よりも薄い幅で前記ＬＥＤモジュールに被せられることを特徴とする照明装置。
【請求項６】
請求項５に記載された照明装置であって、前記キャップは、前記ＬＥＤ素子からの発光が前記本体側へ漏れないように遮断する遮光部を備えていることを特徴とする照明装置。
【請求項７】
請求項１乃至請求項６のいずれかに記載された照明装置であって、前記ＬＥＤモジュールは、前記ＬＥＤ基板に沿って設けられ前記ＬＥＤ素子からの発光を照射すべき方向に反射する反射手段をも有し、前記反射手段は反射シートであって、前記反射シートは、発泡ポリエチレンテレフタレートから形成されていることを特徴とする照明装置。
【発明の詳細な説明】
【技術分野】
【０００１】
本発明は、例えば、主に、事業所や店舗等の商業施設等の比較的広い施設の天井面に設置される直管型の照明装置の改良に関し、特に、照明装置を適切に位置決めしつつ簡易に設置することに関するものである。
【背景技術】
【０００２】
近年、環境意識の高まりから、省電力化に優れたＬＥＤ素子を光源に使用した、電源内蔵型のＬＥＤランプが普及してきた。特に、最近は、比較的長尺の直管蛍光灯ランプの代替製品としても、長尺のＬＥＤモジュールを備えた直管型ＬＥＤ照明装置が開発され、市場に導入されるに至っている。
【０００３】
このような直管型のＬＥＤ照明装置は、一般に、天井面等の被取付面に取り付けられる本体と、この本体に装着されるＬＥＤモジュールとを備えている。この場合、本体の端部には、剛性の確保やデザインの観点から、一定の幅を有するフレーム部が設けられているものもあった（例えば、特許文献１〜３、非特許文献１等参照）。
【０００４】
しかし、これらの従来技術のように、本体の端部にフレーム部が存在すると、照明装置の全長に対し当該フレーム部の幅の分だけ発光長が短くなるため、充分な照度を得ることができないと同時に、特に、この直管型の照明装置を複数連続して配置した場合には、その連結部における光度が低下して、暗い部分が生じ、連続的な直線状の発光を確保することができず、見栄えが低下する問題があった。
【０００５】
また、このような照明装置の両端部においては、ＬＥＤ基板とＬＥＤモジュールの両端との間に間隙が存在し、その間隙から本体側へ光が漏れて、本来照射が必要な前面（床面）側への光の照射効率が低下するおそれもあった。
【先行技術文献】
【特許文献】
【０００６】
【特許文献１】特開２０１２−１４６４６２号公報
【特許文献２】特開２０１２−１４６４６３号公報
【特許文献３】特開２０１２−１４６５６３号公報
【非特許文献】
【０００７】
【非特許文献１】パナソニック株式会社「一体型LEDベースライト iDシリーズ」（URL:ttp://www2.panasonic.biz/es/everleds/lineup/indoor/baselight/02.html）
【発明の概要】
【発明が解決しようとする課題】
【０００８】
本発明が解決しようとする課題は、上記の問題点に鑑み、照明装置の端部においても充分な光度を確保して、照射効率を向上させると共に、複数の照明装置を連続して配置しても、照明装置間の区切りを意識させない程度に連続して発光させて、直線状の発光を確保することができる照明装置を提供することにある。
【課題を解決するための手段】
【０００９】
本発明は、上記の課題を解決するための第１の手段として、天井面等の被取付面に取り付けられる本体と、この本体に装着されるＬＥＤモジュールとを備えた照明装置であって、ＬＥＤモジュールは、ＬＥＤ基板とＬＥＤ基板に実装された複数のＬＥＤ素子とを有し、ＬＥＤ基板を、一方の端部においてのみＬＥＤ素子が高い密度で配置された同一の形状を有する複数のＬＥＤ基板単体を１８０°転回してＬＥＤ素子の密度が低い側の端面同士を対向させて配置して構成することにより、これらの複数のＬＥＤ素子は、ＬＥＤ基板の長手方向における中央部よりも端部において高い密度で配置されていることを特徴とする照明装置を提供するものである。
【００１０】
また、本発明は、上記の課題を解決するための第２の手段として、上記第１の解決手段において、ＬＥＤモジュールの端部から２列目又は２個目までのＬＥＤ素子間の間隔が、その他のＬＥＤ素子間の間隔よりも小さく設定されてＬＥＤ基板に実装されていることを特徴とする照明装置を提供するものである。
【００１１】
本発明は、上記の課題を解決するための第３の手段として、上記第１又は第２のいずれかの解決手段において、ＬＥＤ基板の長手方向における端部に配置されたＬＥＤ素子を除いたその他のＬＥＤ素子間の間隔は、均等な間隔であることを特徴とする照明装置を提供するものである。
【００１２】
本発明は、上記の課題を解決するための第４の手段として、上記第１乃至第３のいずれかの解決手段において、ＬＥＤモジュールは、ＬＥＤモジュールの端部が照明装置の端面を形成するように配置されて本体に取り付けられていることを特徴とする照明装置を提供するものである。
【００１３】
本発明は、上記の課題を解決するための第５の手段として、上記第１乃至第４のいずれかの解決手段において、少なくともＬＥＤモジュールは、ＬＥＤモジュールの両端部に装着されるキャップを有し、キャップは、ＬＥＤモジュールの端部から１列目又は１個目のＬＥＤ素子までの距離よりも薄い幅でＬＥＤモジュールに被せられることを特徴とする照明装置を提供するものである。
【００１４】
本発明は、上記の課題を解決するための第６の手段として、上記第５の解決手段において、キャップは、ＬＥＤ素子からの発光が本体側へ漏れないように遮断する遮光部を備えていることを特徴とする照明装置を提供するものである。
【００１５】
本発明は、上記の課題を解決するための第７の手段として、上記第１乃至第６のいずれかの解決手段において、ＬＥＤモジュールは、ＬＥＤ基板に沿って設けられＬＥＤ素子からの発光を照射すべき方向に反射する反射手段をも有し、この反射手段は反射シートであって、この反射シートは、発泡ポリエチレンテレフタレートから形成されていることを特徴とする照明装置を提供するものである。
【発明の効果】
【００１６】
本発明によれば、上記のように、複数のＬＥＤ素子を、ＬＥＤ基板の長手方向における中央部よりも両端部において高い密度で配置しているため、端部における光度を向上させて照明装置の端部まで確実に発光させることができ、複数の照明装置を連続して配置した場合においても照明装置間の区切りを意識させない程度に連続して発光させて、直線状の発光を確保することができる実益がある。
【００１７】
この場合、本発明によれば、上記のように、本体の両端部に幅を有するフレーム部が存在せず、ＬＥＤモジュールの端部がそのまま照明装置の端面を形成するように配置されて本体に取り付けられているため、端部まで確実に発光することができる実益がある。
【００１８】
また、本発明によれば、上記のように、特に、照明装置を単体で使用する場合において、少なくともＬＥＤモジュールの端部に装着されるキャップが、ＬＥＤモジュールの端部から１列目のＬＥＤ素子までの距離よりも薄い幅でＬＥＤモジュールに被せられているため、キャップが端部における発光を妨げることがなく、端部において充分な光量を確保することができる実益がある。
【００１９】
この場合、本発明によれば、上記のように、キャップは、ＬＥＤ素子からの発光が本体側へ漏れないように遮断する遮光部を備えているため、ＬＥＤ基板とＬＥＤモジュールの端部との間に存在する間隙から本体側へ光が漏れることなく、光の照射が必要な前面側（天井面に設置した場合における床面側）へ集中して光を照射することができ、照明装置の両端部において充分な発光を確保することができる実益がある。
【００２０】
更に、本発明によれば、上記のように、ＬＥＤモジュールは、ＬＥＤ基板に沿って設けられた反射シートをも有するため、光の照射が必要な前面側（天井に設置した場合における床面側）へ集中して光を照射することができ、照明装置全体における照射効率が向上する実益がある。
【図面の簡単な説明】
【００２１】
【図１】本発明の照明装置の下方から見た斜視図である。
【図２】本発明の照明装置の透光性カバーを外した状態における下方から見た斜視図である。
【図３】本発明の照明装置の端部の拡大斜視図である。
【図４】本発明の照明装置の端部の透光性カバーを外した状態における拡大斜視図である。
【図５】本発明に用いられるキャップの拡大斜視図である。
【図６】本発明の照明装置を複数連結する状態を示す斜視図である。
【発明を実施するための形態】
【００２２】
本発明の実施の形態について図面を参照しながら詳細に説明すると図１乃至図４は、本発明の照明装置１０を示し、この照明装置１０は、例えば、事業所や店舗等の商業施設等の天井面に多数設置されて、比較的の広いスペースを照射するために用いられる。この照明装置１０は、図１に示すように、長尺の直管型の照明装置１０であって、単体のみならず、図６に示すように、複数の照明装置１０を連続的に配置して連結部材３０等により連結して設置することもできる。この照明装置１０は、天井面等の被取付面に取り付けられる本体１２と、この本体１２に装着されるＬＥＤモジュール１４とを備えている。
【００２３】
（１．本体）
本体１２は、図４に示すように、中央に設けられた凹部状の溝部１２Ａと、この溝部１２Ａの長手方向における両側面から延びるようにして形成されたテーパー部１２Ｂとを備え、溝部１２Ａの天面に形成された図示しない取付孔を通じてアンカーボルトにより天井面等の被取付面に直付けされる。この本体１２は、例えば、比較的軽量で放熱性の高いカラー鋼板等の金属製材料をプレス加工等することにより形成することができる。なお、この溝部１２Ａには、図１に示すように、ＬＥＤモジュール１４を装着した場合に、その一部も収容される。また、ＬＥＤモジュール１４は、図示しないバネ及びバネ受け等の適宜の手段により、この本体１２に着脱自在に取り付けられる。
【００２４】
（２．ＬＥＤモジュール）
一方、ＬＥＤモジュール１４は、図１乃至図４に示すように、本体１２の溝部１２Ａに対応した長尺状の形状に形成され、ＬＥＤ基板１６と、このＬＥＤ基板１６に実装された複数のＬＥＤ素子１８と、これらのＬＥＤ基板１６及びＬＥＤ素子１８を覆うように設けられた透光性カバー２０とを有している。このＬＥＤ素子１８は、図示しない電源ボックスから給電を受けて発光する。また、透光性カバー２０は、図１に示すように、本体１２のテーパー部１２Ｂに続くなだらかなテーパー面に形成され、照明装置１０として優れた意匠性を発揮している。
【００２５】
また、このＬＥＤモジュール１４は、図１乃至図４に示すように、ＬＥＤモジュール１４の両端部が、そのまま照明装置１０の端面を形成するように配置されて本体に取り付けられている。即ち、本発明の照明装置１０は、本体１２の両端面に所定の幅を有するフレーム部が存在せず、ＬＥＤモジュール１４の両端部がそのまま照明装置１０の端面を形成している。このため、後述するＬＥＤ素子１８の配置と相俟って、照明装置の端部においても光を照射することができる。
【００２６】
（２．−１  ＬＥＤ基板）
ＬＥＤ基板１６は、片面に銅箔が貼られたガラスコンポジット基板（ＣＥＭ−３）から成り、図４に示すように、前面側（天井面等の被取付面に取り付けた場合における床面側）に複数のＬＥＤ素子１８が実装されている。このＬＥＤ基板１６は、図２に示すように、複数のＬＥＤ基板単体１６Ａ、１６Ｂを組み合わせて構成することができる。これは、故障が生じた際の修理や交換等の手間やコストを削減するためである。
【００２７】
この場合には、各ＬＥＤ基板単体１６Ａ、１６Ｂを、同一の形状として、これを１８０°転回して両者の端面同士を対向させて左右対称に配置して、ＬＥＤ基板１６を構成することができる。このように、同一の形状のＬＥＤ基板単体１６Ａ、１６Ｂを使用することにより、単一の形状のＬＥＤ基板単体１６Ａ、１６Ｂのみを用意して、単にこれを組み合わせれば足りるため、ＬＥＤ基板単体１６Ａ、１６Ｂの製造コストを低減することができる。
【００２８】
その際、特に後述するＬＥＤ素子１８の密度が低い側の端面同士を対向させて配置することにより、両端部におけるＬＥＤ素子１８の密度が高いＬＥＤモジュール１６とすることができる。但し、複数のＬＥＤ基板単体１６Ａ、１６Ｂを使用することは必須ではなく、図示の実施の形態と異なり、単一の基板をもってＬＥＤ基板１６とすることもできる。なお、このＬＥＤ基板１６は、図４に示すように、ＬＥＤモジュール１４の両端面まで延びるのではなく、この両端面との間に若干の空隙が存在するように配置されている。
【００２９】
なお、図示の実施の形態では、ＬＥＤモジュール１４、ひいてはその内部に装填されるＬＥＤ基板１６は、図４に示すように、平板状に形成されているが、光の拡散効率を考慮して、ＬＥＤモジュール１４を逆Ｖ字型に形成して、その各々の斜面にＬＥＤ基板１６を逆Ｖ字型に配置することや、フレキシブルなＬＥＤ基板１６を逆Ｖ字型に折り曲げて配置することもできる。
【００３０】
（２．−２  ＬＥＤ素子）
一方、複数のＬＥＤ素子１８は、特に図４に示すように、２つのＬＥＤ素子１８をＬＥＤモジュール１４の幅方向に整列して配置されて１列をなし、これをＬＥＤモジュール１４の長手方向に所定の間隔を空けて間欠的に複数列位置することにより、ＬＥＤ基板１６に実装されている。なお、１列当たりのＬＥＤ素子１８の個数に特に限定はなく、図４に示す実施の形態とは異なり、３つ以上のＬＥＤ素子１８から構成することもできる一方、必ずしも、列とする必要はなく、単数のＬＥＤ素子１８をＬＥＤモジュール１４の長手方向に間隔を空けて間欠的に配置することもできる。勿論、列の数も、照明装置１０の全長に合わせて適宜設定することができる。
【００３１】
この場合、本発明においては、図４に示すように、これらの複数のＬＥＤ素子１８は、ＬＥＤ基板１６の長手方向における中央部よりも端部において高い密度で配置されている。具体的には、図４に示すように、ＬＥＤモジュール１４の端部から２列目（又は２個目）までのＬＥＤ素子１８間の間隔ａ（図４参照）を、その他のＬＥＤ素子１８間の間隔ｂ（図４参照）よりも小さく設定することにより（ａ＜ｂ）、ＬＥＤ基板１６の端部におけるＬＥＤ素子１８の設置密度を高めている。
【００３２】
このため、照明装置１０の端部における光度を向上させて照明装置１０の端部まで確実に発光させることができ、特に図６に示すように、複数の照明装置１０を連続して配置した場合においても、これらの照明装置１０間で隣り合うＬＥＤ素子１８間の間隔が大きくなりがちな連結部においても、照明装置１０間の区切りを意識させない程度に連続して発光させて、直線状の発光を確保することができる。
【００３３】
なお、この場合、このＬＥＤ素子１８の高密度の配置は、ＬＥＤモジュール１４の一方の端部においてのみ設定することもできるが、両端部において高密度とすることが望ましい。これにより、照明装置１０全体を高輝度とすることができると同時に、いずれの端部においても、見栄え良く他の照明装置１０と連結することができる。
【００３４】
また、図示の実施の形態では、端部から２列目までのＬＥＤ素子間の間隔を狭めたが、必ずしも、２列目までに限定されるものではなく、他に例えば、３列目又は５列目まで等、端部における光度を充分に確保することができる列又は個数まで、ＬＥＤ素子１８間の間隔をそれ以外の部分における間隔よりも狭めることができる。
【００３５】
更に、端部を除いたその他のＬＥＤ素子１８間の間隔ｂ（図４参照）は、均等な間隔とすることが望ましい。これにより、均一な発光を確保することができる。なお、これらのＬＥＤ素子１８としては、公知の種々のＬＥＤを用いることができる。図示の実施の形態では、照明用の白色光を発光する高輝度タイプのＬＥＤ素子が用いられている。
【００３６】
（２．−３  反射手段）
また、ＬＥＤモジュール１４は、図４に示すように、ＬＥＤ基板１６に沿って設けられ、ＬＥＤ素子１８からの発光を照射すべき方向に反射する反射手段２２をも有する。このため、光の照射が必要な前面側（天井面に設置した場合における床面側）へ集中して光を照射することができ、照明装置１０全体における照射効率を向上させることができる。
【００３７】
この反射手段２２としては、具体的には、図４に示すように、反射シート２４を使用することができる。この反射シート２４は、ＬＥＤ基板１６のうち、ＬＥＤ素子１６の実装面側（天井面に取り付けた場合の床面側）においてＬＥＤ素子１８の両側に連続して設けられ、ＬＥＤ基板１６を図示しない放熱板等に固定するためのプラスチックリベット１６ａにより、ＬＥＤ基板１６と共に固定されることにより、ＬＥＤ基板１６に沿って設けられる。この反射シート２４としては、具体的には、発泡ポリエチレンテレフタレートから形成された樹脂シート等を使用することができる。なお、この反射シート２４は、図示しないテープや接着剤でＬＥＤ基板１６に設置することもできる。但し、反射手段２２は、この反射シート２４に限定されるものではなく、他に、例えば、ＬＥＤ基板１６の実装面に塗布された高反射用樹脂を使用することもできる。
【００３８】
（３．キャップ）
また、本発明の照明装置１０は、特に単体で使用する場合には、図３及び図５に示すように、本体１２及びＬＥＤモジュール１４に跨って、これらの本体１２及びＬＥＤモジュール１４の端部に装着されるキャップ２６を使用することができる。この場合、このキャップ２６のうち、少なくともＬＥＤモジュール１４の端部に装着される部分については、図４に示すように、ＬＥＤモジュール１４の端部から１列目又は１個目のＬＥＤ素子１８までの距離よりも薄い幅でＬＥＤモジュール１４に被せられる。このため、このキャップ２６が、ＬＥＤモジュール１４の端部における発光を妨げることがなく、端部においても充分な光量を確保することができる。
【００３９】
また、このキャップ２６は、特に図５に示すように、ＬＥＤ素子１８からの発光が本体１２側へ漏れないように遮断する遮光部２８を備えている。この遮光部は金属製材料をプレス加工することなどにより成形することができ、これをキャップ２６内に埋め込むことにより、キャップ２６に設置することができる。この遮光部２８により、ＬＥＤ基板１６とＬＥＤモジュール１４の端部との間に存在する空隙から本体１２側へ光が漏れることなく、光の照射が必要な前面側（天井面に設置した場合における床面側）へ集中して光を照射することができ、照明装置１０の両端部において充分な発光を確保することができる。
【００４０】
なお、このキャップ２６は、照明装置１０を単体で使用する婆愛には、照明装置１０の両端部に取り付けることが望ましく、一方、図６に示すように、複数の照明装置１０を連結して設置する場合には、このキャップ２６を端部に取り付けることなく、照明装置１０の端面同士を直接対向させて設置することができる。
【産業上の利用可能性】
【００４１】
本発明は、例えば、主に、事業所や店舗等の商業施設等の比較的広い施設の天井面に設置される直管型の長尺状の照明装置１０その他の照明装置に広く適用することができる。
【符号の説明】
【００４２】
１０  照明装置
１２  本体
１２Ａ  溝部
１２Ｂ  テーパー部
１４  ＬＥＤモジュール
１６  ＬＥＤ基板
１６Ａ、１６Ｂ  ＬＥＤ基板単体
１６ａ  プラスチックリベット
１８  ＬＥＤ素子
２０  透光性カバー
２２  反射手段
２４  反射シート
２６  キャップ
２８  遮光部
３０  連結部材
【図１】
0005936586.tif 000002
【図２】
0005936586.tif 000003
【図３】
0005936586.tif 000004
【図４】
0005936586.tif 000005
【図５】
0005936586.tif 000006
【図６】
0005936586.tif 000007